Podtech/llm-jp-corpus-v4-ja_patent huggingface dataset:
(57)【要約】      （修正有）【課題】高い壁、天井張のビス又は釘打ちを足場を組まずに床面より作業可能な高所ビス止釘打機を提供する。【解決手段】高所のビス止め、釘打ちを行う場合、伸縮自在な支柱にビス止や釘打機１２を取り付けて、支柱１の高さと位置を調整し、引金制御装置２、３、７、９を作動させることにより、床の上でも楽に安全に作業が出来る。【選択図】図１
0003177159.tif 000002
【実用新案登録請求の範囲】
【請求項１】
１は、支柱で、全体を支える柱パイプで高さに合わせて、伸縮、停止の、機能のある支柱パイプ、２は、引金制御金具、１１の引き金を制御する金具、３のレバーで繰作することが出来る、３は、引き金レバー、レバーを、握ったり緩めたりして繰作する、４は、合体組み立てボルト、支柱パイプと、取付金具を組み立てる蝶ネジ、９０度まで回転、停止、可能、５は、取付金具で、市販のビス止又は、釘打機等のトッテに、落ちない用に、挟み堅く取り付ける金具、６は、締め付けビス、５の、取付金具を蝶ネジで堅く締め付ける、蝶ネジ、７は、引き金レバー制御金具、１１の引き金レバーに直接引っ掛けて引き金レバーを制御する金具、８は、固定金具、７の引き金制御金具を上下左右にブレナイようにする金具、９は、制御ワイヤ、２と７を繋ぐワイヤ、機能は自転車のブレーキのワイヤです、１０は、１の支柱を５の取り付金具に蝶ネジで取り付ける金具、１１は、引き金レバー、ビス止や釘打機の引金制御レバーです、１２は、ビス止機、釘打機は市販されている機械です
【考案の詳細な説明】
【技術分野】
【０００１】  考案の高所ビス、釘打機は高い所の、壁、天井の板を止めるのは大変です、足場の上からの施工は危険です、其を床の上から楽に施工が出来る、高所ビス、釘打機
【背景技術】
【０００２】  現在は、高い所の壁、天井板のビス、又は、釘止は、手が届かないので大工さんは、足場を組んで、その上に乗って、玄のう、または機械で止めています、大変不安定です【０００３】  考案の高所ビス、釘打機を使うと足場を使わず、床の上から楽に止めることが出来る
【先行技術文献】
【特許文献】
【考案の概要】
【考案が解決しようとする課題】
【０００４】  考案の、高所ビス、釘打機は、従来は手の届かない高い壁又は、天井板等を止める時は、足場を組み、その上で作業しています、此の機械は足場もほとんど使わないので、足場からの転落もなく床の上からの作業なので、女性でも安全に施工が出来る
【課題を解決するための手段】
【０００５】  高い手の届かないところの、ビス止め釘打ち等の作業は、考案の高所ビス釘打機で解決出来る、高所ビス、釘打機の上の先端に、市販されているビス止機か釘打機を作業に合わせて取り付け高い所の作業は床の上から楽に操縦できる、【０００６】考案の、高所ビス、釘打機は、支柱と取付金具を合体させて、その上に、市販されているビス止め、又は釘打機を仕事に合わせて、取付その工具のスイッチの引き金を、制御する、機能等が付いている【０００７】支柱は、全体を支える、支柱パイプで、市販されている、枝切バサミの、ハサミだけを取り除いた機能、、伸縮、停止、ワイヤ等を引っ張るレバーの機能が、有る支柱【０００８】取付金具は上に取り付ける、市販のビス止め又は、釘打ち機や支柱を合体させ堅く組み合わせる金具【０００９】制御装置は、高所ビス止、釘打ち機の上に取り付けた機械の引金制御レバーで制御する機能
【図面の簡単な説明】
【００１０】
【図１】は高所ビス止、釘打機の、立面、側面で、１の、支柱と、５の取付け金具とを組立、合体させて、市販のビス止機や釘打ち機に堅く取付ける図解とその機械の引金レバーを作動させるための、２、３、９、７、の制御の図解です
【図２】は、上記の図解図を上から見た図です
【符号の説明】
【００１１】１．。。。。。支柱パイプ                    ２．。。。。。引金制御金具
３．。。。。。引金制御レバー                ４．。。。。。蝶ネジ
５．。。。。。取付金具                      ６．。。。。。締付ネジ
７．。。。。。引金制御金具                  ８．。。。。。固定金具
９．。。。。。制御金具                      １０．。。。。支柱取付金具
１１．。。。。引金レバー                    １２．。。。。ビス止、釘打機
【図１】
0003177159.tif 000003
【図２】
0003177159.tif 000004
【手続補正書】
【提出日】平成24年1月28日(2012.1.28)
【手続補正１】
【補正対象書類名】実用新案登録請求の範囲
【補正対象項目名】全文
【補正方法】変更
【補正の内容】
【実用新案登録請求の範囲】
【請求項１】
「支柱パイプ（１）」１、全体を支えるパイプで施工箇所に合わせて伸縮停止の機能の有る支柱パイプ、「上に取り付けるビス及び、釘打機の引金を引くレバを制御する装置、引金制御金具２、３、９、８、７」２、支柱の中を通して引く金具、３、引金制御レバ、引金装置を制御するレバ、９は、７の、引金制御金具との連結するワイヤ、８、方向角度を制御する金具、７、ビス及び、釘打機のレバを引く引金制御金具、「ビス及び、釘打機、支柱取り付け金具、５、４、６、１０」５、ビス及び釘打機、支柱取り付け装置、４、取付金具に支柱を取り付ける蝶ネジ、６、取り付け金具をトッテに取り付けて締め付ける蝶ネジ、１０、取り付け金具と支柱を固定する金具、「市販のビス及び、釘打機、１２、１１」１２市販のビス及び、釘打機、１１、引金、
【手続補正書】
【提出日】平成24年3月23日(2012.3.23)
【手続補正１】
【補正対象書類名】実用新案登録請求の範囲
【補正対象項目名】全文
【補正方法】変更
【補正の内容】
【実用新案登録請求の範囲】
【請求項１】
引金レバーを有するビス止め機又は釘打ち機と共に高所で用いるためのビス止及び釘打ち制御装置であって、伸縮自在な支持パイプと、支持パイプと、支持パイプの下部に設けられた引金制御レバーと、支持パイプの上部に設けられたビス止め機又は釘打ち機の把手を取り付けるための取り付け金具と、取り付け金具に対し摺動自在に設けられ、摺動に応じて一部が引金レバーに係合することで引金レバーを引くことが可能な引金制御金具とを有し、引金制御レバーと引金制御金具とが支持パイプを貫通する制御ワイヤを介して連動させることにより引金制御レバーの操作に応じて引金制御金具を摺動可能としたこと特徴とするビス止及び釘打ち制御装置。
(57)【要約】      （修正有）【課題】ボリューム感を出し、装飾性を有する靴紐を提供する。【解決手段】長尺状の布地における互いに対向する両側縁同士を、接着、熱接着、縫い合わせ、圧着等することにより、筒状に形成されるもので、少なくとも一方の端部を、ななめ、谷切り、山切りのうちの一つにカットしている。さらに布地は、絹、綿、レーヨン、ナイロン、ポリエステル、アクリル、キュプラ、ビニール、合成皮革、革、デニムの生地のうちの一つである。【選択図】図３
0003177298.tif 000002
【実用新案登録請求の範囲】
【請求項１】
図１及び図２に示すように、一枚の長尺状の布地における互いに対向する両側縁同士を合わせて筒状にされた、靴紐。
【請求項２】
長尺状の布地を有する靴紐であって、前記布地の少なくとも一方の端部がカットされている、請求項１に記載の靴紐。
【請求項３】
前記布地は、絹、綿、レーヨン、ナイロン、ポリエステル、アクリル、キュプラ、ビニール、合成皮革、革、デニムの生地のうちの一つである、請求項1、または２に記載の靴紐。
【請求項４】
前記布地の少なくとも一方の端部が、ななめ、谷切り、山切りにカットされている、請求項1から３のいずれかに記載の靴紐。
【請求項５】
前記布地は、長尺用の布地における互いに対向する両側縁同士を、接着、熱接着、縫い合わせ、圧着等することにより筒状に形成された、請求項1から４のいずれかに記載の靴紐。
【考案の詳細な説明】
【技術分野】
【０００１】
本考案は、靴紐に用いる紐として使用するものである。
【背景技術】
【０００２】
通常運動靴などの靴紐の紐は、運動しても靴が脱げたりしないように、または、足首や甲を補強するのに、靴に締めるためだけの紐であり、装飾性に欠けていた。また、よく靴紐として利用される丸紐や平紐では、ボリューム感を出すことが難しく、見栄えがせず、装飾効果がなかった。
【考案の概要】
【考案が解決しようとする課題】
【０００３】
本考案は、筒状の布を靴紐として利用することにより、ボリューム感を出し、装飾性を有することを可能とするものである。また、ありとあらゆる種類の靴に適応できる紐を提供することにより、靴紐に対して、斬新な装飾性を具備せしめることができるものである。しかしながら、布を筒状にしただけのものでは、靴紐として靴穴に通すことは困難であった。
【課題を解決するための手段】
【０００４】
本考案は、長尺状の布地における互いに対向する両側縁同士を、接着、熱接着、縫い合わせ、圧着等することにより、筒状に形成されるもので、少なくとも一方の端部を、ななめ、谷切り、山切りのうちの一つにカットしていることを特徴とする。さらに、本考案は、絹、綿、レーヨン、ナイロン、ポリエステル、アクリル、キュプラ、ビニール、合成皮革、革、デニムの生地のうちの一つであることを特徴とする。さらに、本考案は、図４、図５、図６にあるように、靴紐の端２を、少なくとも一方の端部をななめ、谷切り、山切りのうちの一つにカットしていることを特徴とする。
【考案の効果】
【０００５】
以上の技術によれば、図２のAに示すように、長尺状の布地における互いに対向する両側縁同士を、接着、熱接着、縫い合わせ、圧着等することにより筒状に形成されるもので、少なくとも一方の端部をななめ、谷切り、山切りのうちの一つにカットしていることで、図３のハトメ３に通しやすく、装飾性を兼ね備えた靴紐を可能とする。
【図面の簡単な説明】
【０００６】
【図１】この考案の一実施形態を示す平面図である。
【図２】図１のA-A断面図である。
【図３】この考案の使用状態図である。
【図４】この考案の一実施形態の少なくとも一方の端部をななめにカットされた図である。
【図５】この考案の一実施形態の少なくとも一方の端部を谷切りにカットされた図である。
【図６】この考案の一実施形態の少なくとも一方の端部を山切りにカットされた図である。
【考案を実施するための形態】
【０００７】
図１は、本考案の靴紐１を示す。長尺用の布地における互いに対向する両側縁同士を、接着、熱接着、縫い合わせ、圧着等することにより筒状に形成された図である。ここで、靴紐の長さについては、使用される靴の種類によって適宜変更されるものである。靴紐１は、丈夫で柔らかい、絹、綿、レーヨン、ナイロン、ポリエステル、アクリル、キュプラ、ビニール、合成皮革、革、デニムの生地のうちの一つからなる。また、靴紐１は、少なくとも一方の端部がカットされている。靴紐の端２のカット形状は、ななめ、谷切り、山切りのうちの一つからなる。また、靴紐１は、様々な種類の靴４、ハイカットシューズ、ブーツ、キッズシューズ、スポーツシューズ、スニーカー、レザーシューズ、革靴に使用することができる。
【０００８】
図２は、本考案の靴紐1の断面を示す。本考案は、長尺状の布地における互いに対向する両側縁同士を、接着、熱接着、縫い合わせ、圧着等することにより筒状に形成されるもので、そのことにより、強度をもたらすことができる。それと同時に、ボリューム感をもたせることができる。
【０００９】
図３は、靴４のハトメ３に靴紐１を通し、靴紐1を結んだ本考案の使用状態図を示す。本考案は、いかなる靴４にも対応できるよう、圧縮性の強い素材で、様々なハトメ３に通りやすく、運動靴のハトメ３のないような穴だけの靴４にも、多くの場合使用することが可能である。また、ハトメ３に通しやすくするため、少なくとも一方の靴紐１の端２をななめ、谷切り、山切りのうちの一つにカットした靴紐1の端２が必要になり、さらに、靴紐1の端２は、装飾性にも優れている。本考案は、ハトメ３を通るときには、圧縮性があるため通り、通った後は、元の形を維持する。そのため、全体的なボリューム感を出すことができる。本考案の靴４への結び方は、はしご結び、ファスナー結び、ダブルバック結び、ループバック結び、ブッシュウォーク結び、のこぎり結び、フットバッグ結び、ディスプレイ結び、ハッシュ結び、ねじり結び、結び目隠し、リボン真ん中結び、チェッカー結び、格子結び、二色結びがある。靴４の用途、形に合わせて選ぶことで、さらに靴４全体の装飾効果をもたらすことができる。また、本考案のリボンの結び方は、片蝶結び、蝶結び、３蝶結び、ダブル蝶結びがある。靴紐１の生地の種類によって選ぶことで、さらに靴４全体の装飾効果をもたらし、ボリューム感を出すことができる。
【００１０】
図４は、靴紐１の少なくとも一方の端２を、ななめにカットした図である。
【００１１】
図５は、靴紐１の少なくとも一方の端２を、谷切りにカットした図である。
【００１２】
図６は、靴紐1の少なくとも一方の端２を、山切りにカットした図である。
【符号の説明】
【００１３】
１    靴紐
２    カットされた靴紐の端
３    ハトメ
４    靴
【図１】
0003177298.tif 000003
【図２】
0003177298.tif 000004
【図３】
0003177298.tif 000005
【図４】
0003177298.tif 000006
【図５】
0003177298.tif 000007
【図６】
0003177298.tif 000008
(57)【要約】      （修正有）【課題】椀状吸盤部を備え、この吸盤部の斜面に沿ってアンテナ線をスパイラル状に埋設し、そのアンテナコードを前記吸盤部の頂部から取り出した吸盤式アンテナ装置を提供する。【解決手段】アンテナ線２０は、吸着部１０の斜面に沿ってスパイラル状の形でインサート成形されている。このアンテナ線２０は前記吸着部１０の裾部に向かうに従ってその径が漸次細くなっている。アンテナコード２１は、つまみ部１１の側面に設置されている。このアンテナコード２１は前記アンテナ線２０の端部に接続されている。この接続部は前記吸盤部１０の成形の際に同時にインサートされる。この吸盤式アンテナ装置を車両の窓ガラスの表面にその吸着部１０を介して吸着させる。この状態では、前記スパイラル状のアンテナ線２０は吸盤部１０の変形に従ってガラス面に全面にわたって近接し、アンテナの機能を奏する。【選択図】図２
0003177260.tif 000002
【実用新案登録請求の範囲】
【請求項１】
椀状吸盤部を備え、この吸盤部の斜面に沿ってアンテナ線をスパイラル状に埋設し、そのアンテナコードを前記吸盤部の頂部から取り出したことを特徴とする吸盤式アンテナ装置。
【請求項２】
前記吸盤部を樹脂成型する際に前記アンテナ線をインサート成型することを特徴とする請求項１の吸盤式アンテナ装置。
【請求項３】
前記アンテナ線を前記吸盤部の裾部に向かうに従って漸次細くしたことを特徴とする請求項１又は請求項２の吸盤式アンテナ装置。
【考案の詳細な説明】
【技術分野】
【０００１】
この考案は吸盤式アンテナ装置に関し、車両や家屋の窓ガラスに吸着した状態で使用されるものである。
【０００２】
従来におけるアンテナ装置としては、伸縮ロッド式のもの、ワイヤー式のもの、フィルム式のものが存在し、用途に合わせて使い分けているのが現状であった。２
【０００３】
【特許文献１】特開２０１２−３３１９５号公報
【考案の開示】
【考案が解決しようとする課題】
【０００４】
しかしながら、かかる従来のアンテナ装置にあっては、いずれの装置においても、設置するにあたって固定具や接着材が必要であるため、別途にこれらを用意しなければならい結果、設置作業及び設置変更作業に手間がかかるという不都合を有した。
【０００５】
この不都合を解消することがこの考案の課題である。
【課題を解決するための手段】
【０００６】
前記課題を達成するために、この考案に係る吸盤式アンテナ装置においては、椀状吸盤部を備え、この吸盤部の斜面に沿ってアンテナ線をスパイラル状に埋設し、そのアンテナコードを前記吸盤部の頂部から取り出したものである。
【０００７】
この場合、前記吸盤部を樹脂成型する際に前記アンテナ線をインサート成型することもできる。
【０００８】
また、前記アンテナ線を前記吸盤部の裾部に向かうに従って漸次細くすることもできる。
【考案の効果】
【０００９】
この考案に係る吸盤式アンテナ装置は上記のように構成されているため、即ち、椀状吸盤部を備え、この吸盤部の斜面に沿ってアンテナ線をスパイラル状に埋設し、そのアンテナコードを前記吸盤部の頂部から取り出したため、吸盤部自体をアンテナとして機能させることができる。
【００１０】
よって、この考案に係る吸盤式アンテナ装置を使用すれば、設置するにあたって従来のように固定具や接着材が必要ではないため、設置作業及び設置変更作業が簡易にできるものである。また、アンテナ線は吸盤部内にスパイラル状に埋設されているため、吸盤部の変形に容易に追従でき耐久性は向上する。
【００１１】
この場合、前記吸盤部を樹脂成型する際に前記アンテナ線をインサート製造にあたってアンテナ線の埋設が容易にできる。
【００１２】
また、前記アンテナ線を前記吸盤部の裾部に向かうに従って漸次細くすれば、アンテナ線が埋設されているにも関わらず吸着部は滑らかに変形でき、吸着部としての機能が妨げられることはない。
【００１３】
この考案に係る吸盤式アンテナ装置を実施するにあたって次の特徴を有する。
【００１４】
「吸盤部」は、断面形状が円弧状または円錐台状であり、かつ内部に空隙を有し、被吸着物に押し付けることで吸着させるものである。シリコンゴムによって形成することが望ましいが、これ以外の弾性合成樹脂によって整形することもできる。
【００１５】
「アンテナ線」は前記吸盤部を樹脂成型する際に前記アンテナ線をインサート成型することもできる。
【００１６】
また、「アンテナ線」はスパイラル状であり、吸盤部の裾部に向かうに従ってその径が漸次細くなっている。
【実施例】
【００１７】
以下、この考案の実施例を図面に基づいて説明する。
【００１８】
図１はこの考案に係る吸盤式アンテナ装置の正面図、図２は図１におけるII―II線断面図、図３は同アンテナ装置の使用状態図である。
【００１９】
図１〜図３において、Ａは吸盤式アンテナ装置、１０はその吸盤部である。この吸盤部１０は椀状であり、シリコンゴムにて形成されている。１１はつまみ部であり、前記吸盤部１０の頂部に一体形成されている。このつまみ部１１は僅かに突出している。
【００２０】
次に、２０はアンテナ線であり、前記吸着部１０の斜面に沿ってスパイラル状の形でインサート成形されている。このアンテナ線２０は前記吸着部１０の裾部に向かうに従ってその径が漸次細くなっている。２１はアンテナコードであり、前記つまみ部１１の側面に設置されている。このアンテナコード２１は前記アンテナ線２０の端部に接続されている。この接続部は前記吸盤部１０の成形の際に同時にインサートされる。前記接続部をインサートすることによって、前記つまみ部１１の形状となる。
【００２１】
なお、アンテナコード２１を接続するかわりに前記アンテナ線２０をその
まま延ばしてアンテナコードとすることもできる。
【００２２】
図３はこの吸盤式アンテナ装置Ａを車両の窓ガラスＧの表面にその吸着部１０を介して吸着させた状態を示している。この状態では、前記スパイラル状のアンテナ線２０は吸盤部１０の変形に従ってガラスＧ面に全面にわたって近接しアンテナの機能を奏することができる。即ち、吸盤部１０の吸着面全体をアンテナとして使用することができるものである。
【産業上の利用可能性】
【００２３】
この考案に係る吸盤式アンテナ装置は、設置するにあたって従来のように固定具や接着材が必要ではないため、設置作業及び設置変更作業が簡易にできるものである。アンテナ線は吸盤部内にスパイラル状に埋設されているため、吸盤部の変形に容易に追従でき耐久性は向上する。よって、産業上の利用可能性は高いものである。
【図面の簡単な説明】
【００２４】
【図１】図１はこの考案に係る吸盤式アンテナ装置の正面図である。
【図２】図２は図１におけるII―II線断面図である。
【図３】図３は同アンテナ装置の使用状態図である。
【符号の説明】
【００２５】
Ａ  …  吸盤式アンテナ装置
１０  …  吸盤部
１１  …  つまみ部
２０  …  アンテナ線
２１  …  アンテナコード
Ｇ  …  ガラス
【図１】
0003177260.tif 000003
【図２】
0003177260.tif 000004
【図３】
0003177260.tif 000005
(57)【要約】      （修正有）【課題】構造が簡単で、信号伝送の機能を効率的に保持する接触連続性の同軸電気ケーブルプラグ構造を提供する。【解決手段】スリーブ１及び該スリーブ１前端に設置するリングナット２を含み、該リングナット２内に同軸電気ケーブル３を接続させる内管１１を設け、該リングナット２内壁及び該スリーブ１内の内管の外壁の間には、環形の継手部材４を設け、該リングナット２及び該内管に電気接続を形成させることを特徴とする。【選択図】図１
0003177252.tif 000002
【実用新案登録請求の範囲】
【請求項１】
スリーブ及び該スリーブ前端に設置するリングナットを含み、該ナット内に同軸電気ケーブルを接続させる内管を設け、該リングナット内壁及び該スリーブ内の内管の外壁の間には、環形の継手部材を設け、該リングナット及び該内管に電気接続を形成させることを特徴とする接触連続性の同軸電気ケーブルプラグ構造。
【請求項２】
前記継手部材は、環形体を含み、該環形体上に弧度を有する複数の接触片を設ける請求項１に記載の接触連続性の同軸電気ケーブルプラグ構造。
【請求項３】
前記継手部材は、環形体を含み、該環形体上に非弧度形式を有する接触片を設ける請求項１に記載の接触連続性の同軸電気ケーブルプラグ構造。
【請求項４】
前記リングナットの内表面に内ねじ山を有し、外ねじ山を有するコンセントを結合させる請求項１に記載の接触連続性の同軸電気ケーブルプラグ構造。
【考案の詳細な説明】
【技術分野】
【０００１】
本考案は、同軸電気ケーブルプラグ構造に関し、特に、構造が簡単で、信号伝送の機能を効率的に保持する接触連続性を有する同軸電気ケーブルプラグ構造に関する。
【背景技術】
【０００２】
同軸電気ケーブルは、テレビシステム及びネットワークシステム中に広く応用される信号電動ケーブルであり、末端に設置する同軸電気ケーブルプラグによりオーディオ又はネットワーク設備上の対応する同軸ケーブルコンセントに固定する。よく見るＦ型の同軸電気ケーブルプラグを例とし、それは、スリーブにより同軸電気ケーブルに接続し、該スリーブの前端は、回転可能なリングナットを設け、該リングナットの内表面に内ねじ山を設け、且つその外表面は、六角形外壁を設け、手指又は挟持工具でそれに対し回転固定させる。
【０００３】
手動回転方式で上記同軸電気ケーブルプラグを同軸ケーブルコンセント上に固定する時、複数回、該リングナットを回転させ、初めて、同軸電気ケーブルプラグを同軸電気ケーブルコンセント内にねじ込み、電気接続を確保し、同軸電気ケーブルの信号を伝達する。しかしながら、リングナット外部は、接触面積が小さく、手指で効率的に施力し回転させることができず、手でリングナットをしめる動作が力を消耗し、且つ同軸電気ケーブルコンセントの多くが上記設備の背面に設置され、該設備が狭い空間内に設置される時、使用者は、該設備後方に移動して初めて、同軸電気ケーブルプラグの完全な固定を行うことができ、このように、相當な不便を招いている。
【０００４】
これに鑑み、上記欠陥を改善する為、同軸電気ケーブルプラグを同軸電気ケーブルコンセントに完全に挿入固定していない時、信号の伝送を行うことができるようにし、使用上の利便性を増進させ、考案者は、長年の経験及び絶え間ない研究開発改善を重ね、本考案の誕生に至っている。
【先行技術文献】
【特許文献】
【０００５】
【特許文献１】特開２００６−７９９３７号公報
【考案の概要】
【考案が解決しようとする課題】
【０００６】
本考案の目的は、構造が簡単で、信号伝送の機能を効率的に保持する接触連続性を有する同軸電気ケーブルプラグ構造を提供することにある。
【課題を解決するための手段】
【０００７】
上記の目的を達成する為、本考案が設ける接触連続性の同軸電気ケーブルプラグ構造は、スリーブ及び該スリーブ前端に設置するリングナットを含み、該ナット内に同軸電気ケーブルを接続させる内管を設け、該リングナット内壁及び該スリーブ内の内管の外壁の間には、環形の継手部材を設け、該リングナット及び該内管に電気接続を形成させることを特徴とする。
【０００８】
実施時、該継手部材は、環形体であり、該環形体上に弧度又は非弧度形式を有する複数の継手部材を設ける。
【０００９】
実施時、該リングナットの内表面に内ねじ山を有し、外ねじ山を有するコンセントを結合させる。
【考案の効果】
【００１０】
本考案の同軸電気ケーブルプラグ構造は、構造が簡単で、信号伝送の機能を効率的に保持する接触連続性を有する。
【図面の簡単な説明】
【００１１】
【図１】本考案の実施例の組み合わせ説明図である。
【図２】図１の局部拡大説明図である。
【図３】本考案の実施例の継手部材の外観説明図である。
【図４】本考案の実施例の継手部材の側面図である。
【考案を実施するための形態】
【００１２】
本考案を更に理解する為、以下に好適実施例を挙げ、図面、符号を合わせ、本考案の具体的構成内容及びそれが達成する効果を以下に詳細に説明する。
【００１３】
図１〜図４を参照し、それは、本考案の接触連続性を有する同軸電気ケーブルプラグ構造の第１実施例であり、それは、スリーブ１及び該スリーブ１前端に設置するリングナット２を含む。
【００１４】
該スリーブ１内に同軸電気ケーブル３を接続させる内管１１を設け、該リングナット２内壁２１及び該スリーブ１内の内管１１の外壁１１１の間に環形の継手部材４を設け、該リングナット２及び該内管１１に電気接続を形成させる。
【００１５】
そのうち、該継手部材４は、導電可能な金属材料から形成され、それは、環形体４１を含み、該環形体４１上に弧度又は非弧度形式を有する複数の継手部材４２を設け（本実施例は、弧度を有する接触片を例とする）、該リングナット２の内表面に内ねじ山２２を有し、外ねじ山を有するコンセントを結合させる。
【００１６】
これにより、該リングネット２は、内ねじ山２２を介し、外ねじ山を有するコンセントと螺合する時、該リングネット２内壁２１及び該スリーブ１内の内管１１の外へ来１１１の間に設ける継手部材４は、該リングナット２及び該内管１１に効率的に電気接続を形成させることができ、信号の伝送を効率的に保持する。
【００１７】
前記のように、上記開示内容に基づき、本考案は、考案の予期する目的を確実に達成することができ、接触連続性を有する同軸電気ケーブルプラグ構造を提供し、産業上の利用価値を極めて有する。
【符号の説明】
【００１８】
１  スリーブ
１１  内管
１１１  外壁
２  リングナット
２１  内壁
２２  内ねじ山
３  同軸電気ケーブル
４  継手部材
４１  環形体
４２  接触片
【図１】
0003177252.tif 000003
【図２】
0003177252.tif 000004
【図３】
0003177252.tif 000005
【図４】
0003177252.tif 000006
(57)【要約】【課題】狭い空間に好んで入る小動物の性質を利用して小動物が飽きにくい起き上がり小法師を提供する。【解決手段】底面が滑らかに湾曲し重心が下部に偏った本体２を有し、前記底面を支点とする重力の作用により自動的に定姿勢に復帰するものにおいて、本体２内部に猫などの小動物が入れる程度の容積及び形状の空洞が設けられ、本体２正面にキャラクター模様が描かれ、本体２背面に前記空洞に前記小動物が出入り可能な口２４が開けられていることを特徴とする。【選択図】図１
0003177254.tif 000002
【実用新案登録請求の範囲】
【請求項１】
底面が滑らかに湾曲し重心が下部に偏った本体を有し、前記底面を支点とする重力の作用により自動的に定姿勢に復帰するものにおいて、
本体内部に小動物が入れる程度の容積及び形状の空洞が設けられ、本体背面に前記空洞に前記小動物が出入り可能な口が開けられていることを特徴とする小動物用起き上がり小法師。
【請求項２】
前記本体の外表面にキャラクター模様が描かれており、本体側面にキャラクター模様に合う手足、耳鼻のうちから選ばれる付属品を装着可能な孔が形成されている請求項１に記載の起き上がり小法師。
【考案の詳細な説明】
【技術分野】
【０００１】
この考案は、猫、ハムスターなどの小動物が遊ぶための起き上がり小法師に関する。
【背景技術】
【０００２】
小動物が遊ぶための起き上がり小法師として、例えば中空の本体内に動物模型・人形等の運動体が設けられ、本体側面に所々孔を開けて外側から内部が見えるようにし、運動体を捕まえようとする狩猟本能をそそるもの（特許文献１）、本体に猫じゃらし状の装飾体を取り付けて狩猟本能を刺激するもの（特許文献２）などが提案されている。
【先行技術文献】
【特許文献】
【０００３】
【特許文献１】特開２０００−２７９６５１号公報
【特許文献２】特開２００２−  ７８４３０号公報
【考案の概要】
【考案が解決しようとする課題】
【０００４】
しかし、狭い空間に好んで入る小動物の性質を利用したものはない。
それ故、この考案の課題は、そのような性質を利用して小動物が飽きにくい起き上がり小法師を提供することにある。
【課題を解決するための手段】
【０００５】
その課題を解決するために、この考案の起き上がり小法師は、
底面が滑らかに湾曲し重心が下部に偏った本体を有し、前記底面を支点とする重力の作用により自動的に定姿勢に復帰するものにおいて、
本体内部に小動物が入れる程度の容積及び形状の空洞が設けられ、本体背面に前記空洞に前記小動物が出入り可能な口が開けられていることを特徴とする。
【０００６】
この起き上がり小法師によれば、本体内部に小動物が入れる空洞が設けられ、背面に空洞に出入り可能な口が開けられているので、猫等の小動物が中に入ったり、外に出たりして遊ぶことができる。また、中に入って本体が倒れないように自らの姿勢を工夫する楽しみを享受することもできる。
【考案の効果】
【０００７】
この考案によれば、起き上がり小法師を小動物が外から倒すだけでなく、自ら出入りして遊ぶこともできるので、楽しみが倍加する。
【図面の簡単な説明】
【０００８】
【図１】この考案の実施形態に係る起き上がり小法師を示す一部破断分解斜視図である。
【考案を実施するための形態】
【０００９】
図１に示す実施形態の起き上がり小法師１は、本体２、左右の手３、３、及び座布団４を備える。
本体２は、圧縮パルプ、プラスチック等の軽量素材製で高さ３０ｃｍ程度のほぼ卵型中空形状をなす殻２１、殻２１の上下に分割された空間のうち下部側に充填された高比重ゴム製の錘２２、及び錘２２内に埋め込まれた鉛製の錘２３からなる。
【００１０】
殻２１の正面には図略のキャラクター模様が描かれており、背面における錘２２より高い位置には長径２０ｃｍ以下、短径１０ｃｍ以下の縦長楕円形状の出入り口２４が形成されている。殻２１の左右の側面には直径２ｃｍ程度の孔２５、２５が形成されている。手３、３は、いずれも表面が袋状に縫製された布などの柔軟な素材からなり、内部に綿、スポンジなどの弾性材料が詰め込まれており、孔２５、２５に挿入して着脱自在に固定される。座布団４は通常、白抜き矢印のように殻２１内の空間を分割する仕切り２６の上面に敷かれる。殻２１の内周には座布団４の偏芯を防ぐために環状のフランジ２７が形成されている。
【００１１】
起き上がり小法師１は、本体２の底面が滑らかに湾曲し重心が下部に偏っており、手３、３の重量は本体２に比べて無視できるほど軽いので、外力が働いて傾いても、外力が解除されれば前記底面を支点とする重力の作用により自動的に立ち姿勢に復帰する。従って、猫等の小動物が本体２を押したり、叩いたりすると、その復帰運動が反応しているかのように小動物が感じて長時間遊ぶことができる。また、出入り口２４より中に入って狭い空間を享受することもできるし、中に入って本体が倒れないように自らの姿勢を工夫する楽しみを享受することもできる。
【００１２】
一般的に猫は、授乳時に母猫に対して母乳の分泌を促すために乳房を前足で交互に踏む子猫時代の動作を、成長後も眠い時等に軟らかい場所を利用して行う。従って、小動物が猫であるときは、本能的に座布団４に乗ろうとし、重心に沿った位置に誘導することができる。
【００１３】
出入り口２４は、前記のとおりヒトの幼児の頭より小さいので、幼児が誤って頭を突っ込む心配はない。
手３は、柔軟な素材からなるので、小動物が噛んだり引っ張ったりして遊ぶことができ、ヒトの幼児を傷つける心配もない。
【符号の説明】
【００１４】
１  起き上がり小法師
２  本体
３  手
４  座布団
２１  殻
２２、２３  錘
２４  出入り口
２５  孔
２６  仕切り
２７  フランジ
【図１】
0003177254.tif 000003
(57)【要約】      （修正有）【課題】ありがとうの感謝の気持ちを気軽に伝えるための写真入りの「ありがとう」メッセージカードを提供する。【解決手段】名刺サイズの紙を用いた写真入りメッセージカードとする。表紙には写真と「ありがとう」のメッセージを、裏地にはメッセージ記入用の縦横格子状の線分を予め印刷しておく。裏地の格子状の線分は、メッセージを記入する際、曲がらずにまっすぐ書けるようにするためのガイドラインを形成する。該格子状の線分は、ガイドラインとしての目的を達成できる範囲でできる限り薄い色で印刷する。以上の構成からなる、表地に写真と「ありがとう」のメッセージを印刷、裏地に縦書きでも横書きでも、曲がらずにまっすぐ書けるようガイドラインとしての格子状の線分を設けた。【選択図】図１
0003177202.tif 000002
【実用新案登録請求の範囲】
【請求項１】
名刺サイズの紙を用いた写真入りメッセージカードであり、
（１）表紙には写真と「ありがとう」のメッセージを、裏地にはメッセージ記入用の縦横格子状の線分を予め印刷しておく。
（２）裏地の格子状の線分は、メッセージを記入する際、曲がらずにまっすぐ書けるようにするためのガイドラインを形成する。
（３）（２）の格子状の線分は、ガイドラインとしての目的を達成できる範囲でできる限り薄い色で印刷する。
以上の構成からなる、表地に写真と「ありがとう」のメッセージを印刷、裏地に縦書きでも横書きでも、曲がらずにまっすぐ書けるようガイドラインとしての格子状の線分を設けたことを特徴とする「ありがとう」メッセージカード。
【考案の詳細な説明】
【技術分野】
【０００１】  この考案は、表地に花等の写真と「ありがとう」メッセージを印刷し、裏地には格子状のメッセージ記入欄を設けることにより、写真入り「ありがとう」カードとメッセージ機能を併せ持つようにした、「ありがとう」メッセージカードに関するものである。
【背景技術】
【０００２】  従来、「ありがとう」を他人に伝えるためには、手紙をしたためなければならなかった。このため「ありがとう」の態度を簡単に示すことは難しかった。
そうした現状において、花等の写真と「ありがとう」メッセージカードを組み合わせたカードを使用することで簡単に感謝の気持ちを伝えるといった風習もなかった。
また、従来のカードは裏地は白紙のままで活用されておらず、メッセージ記入用の格子状の線分（ガイドライン）が予め印刷されたカードは見られなかった。【０００３】  このようなことから、手紙ほどかしこまらずに気軽に相手に「ありがとう」の気持ちを伝えることのできる媒体が望まれていた。【０００４】  最近、アメリカからの「Ｔｈａｎｋ  ｙｏｕ」カードが普及してきたが、これらのカードは字体をデザイン化したものが多く，誰でもが気軽に使えるものではない。
【考案が解決しようとする課題】
【０００５】  これらは、次のような問題点があった。
（１）ありがとうの感謝の気持ちを気軽に伝えられるカードがなかった。
（２）表地に文字だけのカードは、無味乾燥で相手に与える印象も薄かった。
（３）メッセージ記入が必要な場合等、余白部分を利用して記入することにより、ごちゃごちゃしたカードになり、相手に与える印象も悪かった。
（４）市販のカードは値段が高く安価のものが望まれていた。
本考案は、以上のような欠点を無くし、気軽に安価にカードを使用できるようにしたものである。
【課題を解決するための手段】
【０００６】  （１）カードの表地に花等の写真と「ありがとう」メッセージを予め印刷する。
（２）カードの裏地に、縦書きでも横書きでも曲がらずにメッセージを記入できるよう格子状の線分（ガイドライン）を予め印刷する。
【考案を実施するための最良の形態】
【０００７】    以下、本考案を実施するための最良の形態について説明する。
（１）カードの表地に花等の写真と「ありがとう」のメッセージを予め印刷する。
（２）カードの裏地に印刷するメッセージ記入用の格子状の線分（ガイドライン）は、縦書きでも横書きでも曲がらずにきれいに記入できるようにしておく。
（３）（２）の格子状の線分は、ガイドラインとしての目的を達成できる範囲で、できる限り薄い色で印刷する。
（４）カードの使用者は、必要に応じて裏地のメッセージ記入欄を利用する。
【事業の効果】
【０００８】  日常生活の中で「ありがとう」の感謝の気持ちを伝える機会は多いものの、手紙にしたためるのが苦手だったり面倒だったりで、伝える機会を失することも多々ある。
この「ありがとう」メッセージカードは、ありがとうの感謝の気持ちを気軽に簡便に伝える手段として多くの人に活用されると思われる。
【０００９】  カードの利用者が増えている現在、相手にいかに印象付けるかが課題であり、個性的でさわやかな本カードの活用により相手に親近感を与えることが期待できる。
また、裏地のメッセージ記入用の格子状の線分（ガイドライン）に沿って書かれたメッセージは、相手に好印象を与えることも期待できる。
【００１０】    さらに、この「ありがとう」メッセージカードの応用例としては、
（１）カードとしての活用のほか、表地に季節の花等の写真を印刷し、裏地にメッセージ記入用の格子状の線分（ガイドライン）を印刷しておくことにより、花のメッセージカードとして活用することができる。
（２）カードの表地に「おめでとう」のメッセージを印刷することにより、合格祝いや誕生日等のお祝いカードとして活用することができる。
（３）カードの表地に「おだいじに」のメッセージをを印刷することにより、病人のお見舞いカードとして活用できる。
（４）カードの表地に「おおきに」や「ありがとさん」等の各地の方言による「ありがとう」を印刷することで、その地方だけの特色あるカードとなる。
（５）カードの表地に、英語の「Ｔｈａｎｋ  ｙｏｕ」やドイツ語の「Ｄａｎｋｅ」等、ありがとうの各国語表現を印刷することで、世界各国の「ありがとう」カードとして活用できる。
（６）カードの表地に「Ｗｉｔｈ  ｙｏｕ」や「希望を」等の災害復旧・復興に向けてのメッセージを印刷することにより、励ましのカードとして活用できる。
【図面の簡単な説明】
【００１１】
【図１】  本考案の写真入り「ありがとう」メッセージカードの正面図である。
【図２】  本考案の写真入り「ありがとう」メッセージカードの背面図である。
【符号の説明】
【００１２】
【図１】
0003177202.tif 000003
【図２】
0003177202.tif 000004
(57)【要約】      （修正有）【課題】寝たきりの介護を必要とするおむつ着用患者が、意識的又は無意識に手指をおむつ内に差し込み、排泄物で周囲を汚染させる事を防止し、患者本人の清潔保持と介護者の労力の減少を計るおむつ外し防止着を提供する。【解決手段】下着又はパジャマの上に使用するスカート状の腰部を覆うカバーであって、スカート本体１とスカート本体の前面に開閉できるファスナーとで構成し、前記ファスナーは調整可能とする並列な３本で成り、さらに患者自身が容易に開閉できないようにファスナーのリング部をロックする特殊スナップ４等をスカート本体の下部に設ける。【選択図】図１
0003177208.tif 000002
【実用新案登録請求の範囲】
【請求項１】
下着又はパジャマの上に使用するカバーであつて、スカート状の腰部を覆う布で成るスカート本体１と、該スカート本体の前面に開閉できるファスナー（金具付３及び金具無２）とで構成し、前記ファスナー２は１〜３列で成り、ファスナー金具７に設けたファスナーのリング部６をロックする特殊スナップ（頭側４及び下側５）を前記スカート本体の下部に設けたことを特徴とするおむつ外し防止着。
【考案の詳細な説明】
【技術分野】
【０００１】
この考案は寝たきりの、おむつ着用患者のおむつ外しを防止するカバーに関する。
【背景技術】
【０００２】
従来は寝たきり患者のおむつ外しに対して、全身を覆う（つな着式）のものやパンツ式のもので対処している。寝たきり患者の場合はおむつ交換がある為、着脱が大変な労力となる。患者本人の不自由な体にも負担がかかり、苦痛が多い。
【０００３】
従来はパンツ式の紐を施したもの（例えば、特許文献１参照）や円筒形の肩紐の付いたもの（例えば、特許文献２参照）がある。文献１のパンツ式のものは寝たきり患者の場合おむつ交換が大変であることと、さらに結んだ紐が腰の背部にあって、体に異物感を感じさせ、場合によっては床ずれの原因にも成りうる。また、患者はかなりの動きをする者もいる為、文献２の肩紐は容易に外すことも出来、結果患者本人の手指をおむつに差し込ませることが出来てしまう。
【先行技術文献】
【特許文献】
【０００４】
【特許文献１】登録実用新案広報  第３０３６０２２号
【特許文献２】登録実用新案広報  第３０８１１５８号
【考案の概要】
【考案が解決しようとする課題】
【０００５】
おむつを使用している寝たきり患者が、内部のおむつを容易に取り出せなくし、またおむつの中に手を入れることが出来ないようにして、寝たきり患者の体の清潔を保つとともに、介護者の負担を軽減させるためのカバーを開発することにある。
【課題を解決するための手段】
【０００６】
上記目的を達成するために此の考案は、下着又はパジャマの上に使用するカバーであつて、スカート状の腰部を覆う布で成るスカート本体１と、該スカート本体の前面に開閉できるファスナー（金具付３及び金具無２）とで構成し、前記ファスナー２は１〜３列で成り、ファスナー金具７に設けたファスナーのリング部６をロックする特殊スナップ（頭側４及び下側５）を前記スカート本体の下部に設けたことを特徴とするおむつ外し防止着とする。
【考案の効果】
【０００７】
この考案は、以上のように構成されていることにより、以下のような効果を得ることができる。スカート本体１は、１枚のスカート状にすることにより、寝たきり患者を横にするだけで簡単に装着させることが出来、開閉をスカート前面にファスナー３及び2を設ける事により、背部や側面に異物感を生じなくし、床ずれの防止となる。
また、きつさを調整出来るようファスナー２は３列（２ａ，２ｂ，２ｃ）とし、おむつ交換時も下から開閉出来る為、全部外さなくても簡単におむつ交換をすることが出来、介護者の労力の軽減を計ることが出来る。尚、スカート臀部８に余裕を持つことにより、患者の屈曲動作が制限されず安楽に過ごすことができる。さらにスカートの開閉においてファスナーリング部６は特殊スナップ頭側４と特殊スナップ下側（５ａ，５ｂ，５ｃ）との間にロックされる為、容易に外すことは出来ず、患者本人がおむつ内に手を差し入れることは不可能であり、排泄物を散乱させる不潔行為を防げ、極めて有益な効果をもたらすものである。
【図面の簡単な説明】
【０００８】
【図１】本考案を正面から見た図である。
【図２】本考案を側面から見た図である。
【図３】フアスナー部の詳細拡大図である。
【考案を実施するための形態】
【０００９】
以下、図面と共にこの考案による、おむつ外し防止着の適切な実施の形態について詳細に説明する。図１はスカート全体の正面図、図２はスカート本体の側面図、図３はファスナー部の一部拡大図である。
図１〜図３において、スカート本体１は、下着あるいはパジャマの上に使用するカバーであって、後方下部の臀部を覆う部分にゆとりを持たせたスカート臀部８を設ける。該スカート本体１の前面を開閉部として、金具付のファスナー３と、金具無のファスナー２を設け、ファスナー金具７によって噛み合わせる。金具無ファスナー２は腰回りの大きさを調節可能にするため平行な３列（２ａ、２ｂ，２ｃ）に構成する。さらにファスナー金具に取り付けたファスナーリング部６は、スカート下部に付けられた特殊スナップ頭側４と特殊スナップ下側５の間に挟み込んでロックし、患者が容易に取り外せないようにする。特殊スナップ下側５は前記金具無ファスナー２ａ、２ｂ、２ｃに合わせて３列の５ａ，５ｂ，５ｃを設ける。
【００１０】
スカート本体１は、寝たきり患者向けに一枚のシート状に広げられ、横向きに差し入れて装着出来、背部や側面には違和感となる部品は一切付けず、なおかつ体を締め付けるゴム紐なども使用せず、寝たきり患者が安楽に過ごせるものである。スカート本体の前面に設けられたファスナー（２ａ，２ｂ，２ｃ）は、３．５ｃｍ幅程度の間隔を置くぐらいがよく、生地は綿素材が好ましい。
【符号の説明】
【００１１】
１  スカート本体
２  ファスナー（金具無）（２ａ，ｂ，ｃ）
３  ファスナー（金具付）
４  特殊スナップ（頭側）
５  特殊スナップ（下側）（ａ，ｂ，ｃ）
６  ファスナーリング部
７  ファスナー金具
８  スカート臀部
【図１】
0003177208.tif 000003
【図２】
0003177208.tif 000004
【図３】
0003177208.tif 000005
(57)【要約】【課題】尾端に衝突しても可及的に怪我を防止できるドアレバーを提供すること。【解決手段】ラッチ錠のラッチボルトを後退させる角芯棒に接続されるハンドル軸１から握り部までを硬質材によりハンドル本体６として構成し、ハンドル本体６の先端から尾端までを弾性高分子で被覆するとともに、前記尾端より先を前記弾性高分子でドア側に湾曲するように延長して構成した。【選択図】図１
0003177232.tif 000002
【実用新案登録請求の範囲】
【請求項１】
ラッチ錠のラッチボルトを後退させる角芯棒に接続されるハンドル軸から握り部までを硬質材によりハンドル本体として構成し、前記ハンドル本体の先端から尾端までを弾性高分子で被覆するとともに、前記尾端部より先を前記弾性高分子でドア側に湾曲するように延長して構成したドアハンドル。
【請求項２】
前記硬質材と弾性高分子とを二色成型法により構成されている請求項１に記載のドアハンドル。
【考案の詳細な説明】
【技術分野】
【０００１】
本考案は、衝突等による負傷を防止できるドアレバーに関する。
【背景技術】
【０００２】
金属等の硬質材料でできたドアレバーは、身体が衝突すると負傷する虞れがある。
このような事故の防止をも兼ねて特許文献１に見られるようにドアレバーの表面をゴムなどの弾性材料で被覆することも実用化されている。
【０００３】
しかしながら、レバーの長手方向に平行な力が尾端に作用した場合には、依然として十分な剛性を有するため、負傷するおそれがある。
【先行技術文献】
【特許文献】
【０００４】
【特許文献１】特開２００２−１７４０５７
【考案の概要】
【考案が解決しようとする課題】
【０００５】
本考案はこのような事情に鑑みてなされたものであって、その目的とするところは尾端に衝突しても可及的に怪我を防止できるドアレバーを提供することである。
【課題を解決するための手段】
【０００６】
本考案は、ラッチ錠のラッチボルトを後退させる角芯棒に接続されるハンドル軸から握り部までを硬質材によりハンドル本体として構成し、前記ハンドル本体の先端から尾端までを弾性高分子で被覆するとともに、前記尾端部より先を前記弾性高分子でドア側に湾曲するように延長して構成されている。
【考案の効果】
【０００７】
本発明によればハンドルの尾端に身体が当たると、この部分には骨材が無く、しかも扉側に湾曲しているため、この湾曲にガイドされて尾端部が容易に弾性変形し、衝撃を緩和できる。
【図面の簡単な説明】
【０００８】
【図１】図（ａ）（ｂ）は、それぞれ本考案のドアレバーの一実施例を示す斜視図と断面図である。
【図２】ドアレバーを構成するハンドル本体の一実施例を示す斜視図である。
【考案を実施するための形態】
【０００９】
そこで以下に本考案のドアレバーの詳細を図示した実施例に基づいて説明する。
図１（ａ）（ｂ）は、本考案の一実施例を示すものであって、ラッチ錠のラッチボルトを後退させる角芯棒に接続されるハンドル軸１から握り部領域２まで軟質材３が被覆され、さらにはその先の尾端部４となる領域は軟質材自体で構成されている。
【００１０】
すなわち、ハンドル軸１及び握り部５をなすハンドル本体５は、図２に示したようにハンドルとしての尾端部の曲がり部よりも手前の領域、つまり角芯棒を回動させるに必要な最低限の長さを有している。
【００１１】
このハンドル本体５を骨材とするようにして弾性高分子、例えば成形用ゴム系材料により外形を握りやすい太さと、ハンドル本体５よりも先端を延長し、かつ若干扉側に湾曲した尾端部４するように整形する。
【００１２】
一方、骨材となるハンドル本体４は、角芯棒が挿入可能なハンドル軸部１と、ハンドル軸部１から垂直に伸びる握り部領域２とを有し、所定の位置には樹脂の流れを誘導する凹部６や成型流動性促進用の貫通孔７を形成して構成されている。
【００１３】
この実施例においてハンドルを握ると、表面が金属よりも軟質の材料であるため、熱伝導率が低く冷感がない。ハンドルを回動させると、力が入る親指、人差指、中指の領域にはハンドル本体４が骨材として埋め込まれているので、ハンドルが曲がったり変形するようなことはない。
【００１４】
一方、ハンドルの尾端に身体が当たると、この部分には骨材が無く、しかも扉側に湾曲しているため、この湾曲にガイドされて尾端部４が容易に弾性変形し、衝撃を緩和する。
【００１５】
なお、上述の実施例においては骨材となるハンドル本体に軟質高分子を被覆整形して２段工程で製作しているが、ハンドル本体部と被覆延長部とをそれぞれ硬質高分子材料と軟質高分子材料との二色成型技術で単一工程でも製造することができる。
【符号の説明】
【００１６】
１  ハンドル軸    ２  握り部領域    ３  軟質材    ４  尾端部    ５  握り部    ６
ハンドル本体    ７  樹脂の流れを誘導する凹部    ８  成型流動性促進用の貫通孔
【図１】
0003177232.tif 000003
【図２】
0003177232.tif 000004